(57)【要約】【課題】ネットワーク帯域が異なる拠点で構成された配信システムにおいて、高解像度を有する画像を、低負荷で、各拠点に最適な画質で配信する。【解決手段】送信端末と、受信端末と、がネットワークを介して接続され、送信端末から受信端末に対して配信される画像データを仲介する配信サーバを含む配信システムであって、配信サーバは、送信端末に対して画像データのフレーム要求を送信する手段を含み、送信端末は、送信されたフレーム要求を受信する手段と、フレーム要求に対応する画像フレームを生成する手段と、生成された画像フレームを配信サーバへ送信する手段と、を含み、配信サーバは、送信された画像フレームを受信する手段と、受信された画像フレームを受信端末に対して送信する手段と、を含む。【選択図】図４
2015023466.tif 000002
【特許請求の範囲】
【請求項１】
送信端末と、受信端末と、がネットワークを介して接続され、送信端末から受信端末に対して配信される画像データを仲介する配信サーバを含む配信システムであって、
前記配信サーバは、前記送信端末に対して前記画像データのフレーム要求を送信する手段を含み、
前記送信端末は、前記送信されたフレーム要求を受信する手段と、前記フレーム要求に対応する画像フレームを生成する手段と、前記生成された画像フレームを前記配信サーバへ送信する手段と、を含み、
前記配信サーバは、前記送信された画像フレームを受信する手段と、前記受信された画像フレームを前記受信端末に対して送信する手段と、を含むことを特徴とする配信システム。
【請求項２】
前記配信サーバは、前記配信サーバと前記受信端末との間のネットワーク帯域の高低に応じて、前記受信された画像フレームを生成し直す手段を含むことを特徴とする請求項１に記載の配信システム。
【請求項３】
前記配信サーバは、前記配信サーバと前記受信端末との間のネットワーク帯域の高低に応じた前記画像データのフレームを生成するよう前記送信端末に対して要求する手段を含むことを特徴とする請求項１に記載の配信システム。
【請求項４】
前記送信端末は、前記配信サーバと前記受信端末との間のネットワーク帯域の高低に応じた前記画像データのフレームを生成し、前記配信サーバに対して送信することを特徴とする請求項３に記載の配信システム。
【請求項５】
前記送信端末は、前記配信サーバから送信された前記画像データのフレーム要求に対し、前記配信サーバと前記受信端末との間のネットワーク帯域の高低に応じた複数のフレームを生成し、前記配信サーバに対して送信することを特徴とする請求項１に記載の配信システム。
【請求項６】
前記送信端末は、前記配信サーバを内蔵することを特徴とする請求項１から５の何れか１項に記載の配信システム。
【請求項７】
送信端末から受信端末に対して配信される画像データを仲介し、前記送信端末、及び前記受信端末とネットワークを介して接続された配信サーバは、前記送信端末に対して前記画像データのフレーム要求を送信する工程を含み、
前記送信端末は、前記送信する工程により送信されたフレーム要求を受信する工程と、前記フレーム要求に対応する画像フレームを生成する工程と、前記生成する工程により生成された画像フレームを前記配信サーバへ送信する工程と、を含み、
前記配信サーバは、前記送信する工程により送信された画像フレームを受信する工程と、前記受信する工程により受信された画像フレームを前記受信端末に対して送信する工程と、を含むことを特徴とする配信方法。
【請求項８】
送信端末から受信端末に対して配信される画像データを仲介し、前記送信端末、及び前記受信端末とネットワークを介して接続された配信サーバのコンピュータに、前記送信端末に対して前記画像データのフレーム要求を送信する処理を実現させ、
前記送信端末のコンピュータに、前記送信する処理により送信されたフレーム要求を受信する処理と、前記フレーム要求に対応する画像フレームを生成する処理と、前記生成する処理により生成された画像フレームを前記配信サーバへ送信する処理と、を実現させ、
前記配信サーバのコンピュータに、前記送信する処理により送信された画像フレームを受信する処理と、前記受信する処理により受信された画像フレームを前記受信端末に対して送信する処理と、を実現させるためのプログラム。
【発明の詳細な説明】
【技術分野】
【０００１】
本発明は、配信システム、配信方法、及びプログラムに関する。
【背景技術】
【０００２】
液晶やプラズマ等のフラットパネルや、プロジェクタを用いて、ディスプレイに、タッチパネル機能を搭載した、いわゆる電子情報ボードといわれる製品が市場に出てきている。例えば、図１２は、電子情報ボードの一例の外観を示す図である。
【０００３】
図１２に示す電子情報ボード１３は、パーソナルコンピュータ（以下、パソコンという。）１１、１２を電子情報ボード１３に接続することにより、接続されたパソコン１１、１２の画面を大きく映すことができ、企業や行政機関の会議におけるプレゼンテーション等や教育機関等で用いられている。
【０００４】
電子情報ボード１３に搭載されているタッチパネル機能を用いて、表示されている画面に対してマウス操作を行う代わりに直接タッチすることにより、電子情報ボード１３の画面を表示しているパソコン１１、１２を操作するといったタッチパネルを介したパソコン操作機能が提供されている。
【０００５】
さらに、電子情報ボード１３に接続されたパソコン１１、１２上で動作することが可能な電子黒板用アプリケーションソフトウエアが、電子情報ボード１３と一緒に提供されている。このアプリケーションソフトウエアは、黒板の役目を果たす電子情報ボード１３の画面を提供し、その上に手書き文字等をタッチパネルを介して描く機能や、このアプリケーションソフトウエアを提供するパソコン１１、１２の画面を取り込んで、その上に手書きされた文字等を重畳して描く機能等、タッチパネルを介した手書き機能が提供されている。
【０００６】
このような手書き機能が提供されている電子情報ボードを利用すると、オフィスの会議シーン等において、説明のための表示資料を電子情報ボード上で操作しながら、適宜パソコンの画面上に直接指摘事項等の書き込みを行い、さらに必要に応じて書き込みを含む画面内容をパソコンに記録することができ、結果的に、会議終了時にパソコンに記録された画面内容を振り返ると共に、再利用することで効率的に結論等を纏めることが期待される。
【０００７】
また、電子情報ボードは、接続されたパソコンのパソコン画面を電子情報ボード上に表示し、かつ、遠隔地にある電子情報ボードと共有することができる。
【０００８】
さらに、特許文献１には、中継装置の処理負荷を軽減すること、及び受信装置における再生遅延の発生を防止することを目的として、受信装置から一定の取得周期毎にデータの取得要求を受信すると、中継装置のバッファ領域に格納されている画像フレームを受信装置に配信するストリームデータ配信システムが開示されている。
【発明の概要】
【発明が解決しようとする課題】
【０００９】
しかしながら、多くの拠点においてパソコン画面を共有する場合、各拠点におけるネットワーク帯域が大きく異なる場合がある。そうすると、パソコン画面の送信側のネットワーク帯域が高い場合、配信サーバに過剰にパソコン画面が送信されてしまうという問題があった。
【００１０】
逆に、最も低いネットワーク帯域の拠点に合わせてパソコン画面を圧縮してしまうと、全体の画質が大きく低下してしまうという問題があった。これを防止するために、各拠点毎にパソコン画面の圧縮率を変更するとなると、パソコン画面の配信側に大きな負荷がかかってしまうという問題もある。
【００１１】
さらに、特許文献１に開示されているストリームデータ配信システムでは、中継装置の処理負荷は軽減されるが、配信サーバに過剰にパソコン画面が送信されてしまうという問題は依然として解消されていない。
【００１２】
そこで、本発明は、上記従来技術の問題点に鑑みてなされたものであって、ネットワーク帯域が異なる拠点で構成された配信システムにおいて、高解像度を有する画像を、低負荷で、各拠点に最適な画質で配信することが可能な配信システムを提供することを目的とする。
【課題を解決するための手段】
【００１３】
上記課題を解決するため、請求項１に記載の本発明における配信システムは、送信端末と、受信端末と、がネットワークを介して接続され、送信端末から受信端末に対して配信される画像データを仲介する配信サーバを含む配信システムであって、前記配信サーバは、前記送信端末に対して前記画像データのフレーム要求を送信する手段を含み、前記送信端末は、前記送信されたフレーム要求を受信する手段と、前記フレーム要求に対応する画像フレームを生成する手段と、前記生成された画像フレームを前記配信サーバへ送信する手段と、を含み、前記配信サーバは、前記送信された画像フレームを受信する手段と、前記受信された画像フレームを前記受信端末に対して送信する手段と、を含むことを特徴とする。
【発明の効果】
【００１４】
本発明によれば、ネットワーク帯域が異なる拠点で構成された配信システムにおいて、高解像度を有する画像を、低負荷で、各拠点に最適な画質で配信することが可能な配信システムを得ることができる。
【図面の簡単な説明】
【００１５】
【図１】本実施形態に係る配信システムの全体構成を示す図である。
【図２】本実施形態に係る配信システムの機器構成を示す図である。
【図３】本実施形態に係る配信システムの動画配信開始を示すフロー図である。
【図４】本実施形態に係る配信システムの動画配信を示すフロー図である。
【図５】本発明における他の実施形態に係る配信システムの全体構成を示す図である。
【図６】本発明における他の実施形態に係る配信システムの機器構成を示す図である。
【図７】本発明における他の実施形態に係る配信システムの動画配信を示すフロー図（その１）である。
【図８】本発明における他の実施形態に係る配信システムの動画配信を示すフロー図（その２）である。
【図９】本発明における他の実施形態に係る配信システムの動画配信を示すフロー図（その３）である。
【図１０】本発明におけるさらに他の実施形態に係る配信システムの全体構成を示す図である。
【図１１】本発明におけるさらに他の実施形態に係る配信システムの機器構成を示す図である。
【図１２】電子情報ボードの一例の外観を示す図である。
【発明を実施するための形態】
【００１６】
本発明は、電子情報ボードにおけるパソコン画面の配信処理に関し、配信サーバは送信クライアントに対してフレーム取得要求を送信する。すると、送信クライアントは当該要求に合わせてフレームを生成し、配信サーバへ送信する。そして、当該フレームを受信した配信サーバが、各拠点の受信クライアントに対して画像の配信を行うことが特徴になっている。
【００１７】
以下、本発明を実施するための形態について図面を参照して詳細に説明する。なお、各図中、同一又は相当する部分には同一の符号を付しており、その重複説明は適宜に簡略化乃至省略する。
【００１８】
まず最初に、本実施形態に係る配信システムの全体構成について説明する。図１は、本実施形態に係る配信システムの全体構成を示す図である。図１において、本実施形態に係る配信システム１００は、送信端末である主催端末１０２と、主催端末１０２に接続された機器０  １０１と、受信端末である参加端末１  １０３と、参加端末２  １０４とが、ネットワーク１０５により接続されている。機器０  １０１の画面の画像が、主催端末１０２に対して出力され、主催端末１０２の中に内蔵された図示しない配信サーバが、それを参加端末１  １０３、及び参加端末２  １０４にそれぞれ配信することにより、機器０  １０１の画面が共有される。要するに、配信サーバは、主催端末１０２と、参加端末１  １０３、及び参加端末２  １０４との間を仲介する役割を担う。
【００１９】
次に、本実施形態に係る配信システムの機器構成について説明する。図２は、本実施形態に係る配信システムの機器構成を示す図である。主催端末１０２は、送信クライアント部２０１と、配信サーバ部２０２と、から構成される。送信クライアント部２０１は、機器０  １０１から送信された画像を画像取得部２０３が取得し、当該画像からフレーム生成部２０４が動画フレームを生成し、通信部２０５を経由して配信サーバ部２０２に送信する。
【００２０】
配信サーバ部２０２は、受信した動画フレームを通信部２０７を経由して参加端末１０６に配信する。参加端末１０６は、受信クライアント部２０９と、画像表示装置２０８と、から構成される。受信クライアント部２０９は、配信サーバ部２０２から通信部２１２を経由して上記動画フレームを受信し、動画フレームをフレーム復号部２１１で復号化し、画像表示部２１０が画像表示装置２０８に表示させる。画像表示装置２０８は、この復号化された画像を表示する。
【００２１】
次に、本実施形態に係る配信システムの動画配信開始のフローについて説明する。図３は、本実施形態に係る配信システムの動画配信開始を示すフロー図である。図３において、配信サーバ３０２において会議を開催すると、送信クライアントはそれに参加する。送信クライアント３０１にパソコンが接続されると、送信クライアント３０１は、配信サーバ３０２との間にフレームを送信するためのセッションを確立する。
【００２２】
まず、送信クライアント３０１は、宛先を受信クライアント３０３とする宛先選択を機器０  １０１から受け付ける（ステップ（以下、Ｓという。）３１０）。そうすると、送信クライアント部２０１の通信部２０５は、通信開始要求情報を配信サーバ３０２へ送信する（Ｓ３１１）。
【００２３】
通信開始要求情報を受信した配信サーバ３０２は、送信クライアント３０１、及び受信クライアント３０３の端末状態を管理する（Ｓ３１２）。そして、送信クライアント３０１を要求元、受信クライアント３０３を宛先として管理する（Ｓ３１３）。さらに、要求元である送信クライアント３０１と、宛先である受信クライアント３０３との間の通信を中継するための図示しない中継装置の絞込を行う（Ｓ３１４）。
【００２４】
配信サーバ３０２は、Ｓ３１４の処理において絞り込まれた中継装置を伝達するため、受信クライアント３０３に対して中継装置絞込情報を送信する（Ｓ３１５）。そうすると、受信クライアント３０３は、配信サーバ３０２に対して中継装置絞込情報の受信が完了した旨、及び図示しない中継装置を選択した旨を示す情報を送信する（Ｓ３１６）。これにより、送信クライアント３０１と受信クライアント３０３との間で、画像データ、及び音声データを通信するためのセッションが確立する（Ｓ３１７）。その結果、送信クライアント３０１と受信クライアント３０３との間で遠隔会議を開催することができる。
【００２５】
次に、本実施形態に係る配信システムの動画配信のフローについて説明する。図４は、本実施形態に係る配信システムの動画配信を示すフロー図である。図３で説明したセッションが確立されると、配信サーバ３０２は、送信クライアント３０１に対し、送信クライアント３０１のフレーム生成部２０４（図２）で生成されたフレーム要求を送信する（Ｓ４１０）。フレーム要求には、動画圧縮のコーデック、当該コーデックで指定する画像の解像度、フォーマット、品質等のパラメータが含まれる。
【００２６】
例えば、リクエストは、Ｒｅｑｕｅｓｔ−ＵＲＩで識別される情報であれば何でも開収するＧＥＴメソッドであるＨＴＴＰ  ｇｅｔで構成される。パラメータは、Ｈ.２６４の動画コーデックでＦｕｌｌＨＤ（Full High Definition）の解像度の画像を、ＹＵＶ４２０Ｐ形式のピクセルフォーマッで圧縮する場合を考える。ここで、Ｈ．２６４は、動画データの圧縮符号化方式の標準の１つであり、ＦｕｌｌＨＤとは、１９２０×１０８０ピクセルの画面解像度のことをいう。また、ＹＵＶ４２０Ｐ形式とは、水平・垂直２×２ピクセルのうち、Ｃｂ信号を上２ピクセルから１ピクセル取り、Ｃｒ信号を下２ピクセルから１ピクセル取る方式をいう。そうすると、パラメータは、「ＣＯＤＥＣ＝ｈ．２６４＆ｗｉｄｔｈ＝１９２０＆ｈｅｉｇｈｔ＝１０８０＆ｆｏｒｍａｔ＝ｙｕｖ４２０ｐ」といった形式で指定される。
【００２７】
配信サーバ３０２からフレーム要求を受信した送信クライアント３０１は、画像取得部２０３（図２）において、機器０  １０１から画面の画像を取得すると共に、フレーム生成部２０４（図２）において画像フレーム１を生成する（Ｓ４１１）。画像フレーム１は、上記パラメータの要求で指定された動画圧縮コーデックを用いる。送信クライアント３０１は、画像フレーム１を生成すると、通信部２０５（図２）により、当該画像フレーム１を配信サーバ３０２に返信する（Ｓ４１２）。
【００２８】
画像フレーム１を通信部２０７（図２）で受信した配信サーバ３０２は、当該画像フレーム１を、当該通信部２０７を用いて受信クライアント３０３に送信する（Ｓ４１３）。画像フレーム１を通信部２１２（図２）で受信した受信クライアント３０３は、フレーム復号部２１１（図２）によってフレームを復号化して画像を生成する。そして、画像表示部２１０（図２）が画像表示装置２０８に画像を表示する（Ｓ４１４）。なお、復号化に必要な動画圧縮コーデック等の情報は、他の方法により既に共有されているものとする。
【００２９】
配信サーバ３０２は、取得した画像フレーム１を全ての受信クライアント３０３に送信し終わると（Ｓ４１３）、フレーム取得部２０６（図２）は、次の画像フレームを取得するため、送信クライアント３０１にフレーム要求を行う（Ｓ４１５）。このとき、取得した画像フレームを、全ての受信クライアント３０３に送信した後に次の取得要求を行うため、送信クライアント３０１は、余計な画像フレームの生成、及び送信処理を行う必要がない。
【００３０】
例えば、送信クライアント３０１が、配信サーバ３０２の処理完了を待たずに配信サーバ３０２に対して画像フレームを送信する配信システムと比較すると、本実施形態に係る配信システムの処理では、配信サーバ３０２の負荷を減らすことができる。特に、本実施形態に係る配信システムは、画面表示を行うために送信クライアント３０１と受信クライアント３０３との間の同期が必要であり、かつ、送信する画像サイズが大きい場合に効果的である。
【００３１】
本実施形態に係る配信サーバ３０２における画像フレームの取得処理は、単に送信クライアント３０１が画像フレームを送信する場合と比較して、遅延が大きくなるデメリットが考えられる。しかしながら、近年のネットワークは遅延が小さく、帯域の地域差が大きいという傾向があることを考慮すると、同期と高解像度対策とを重視した本実施形態に係る配信システムは有効である。なお、配信サーバ３０２と送信クライアント３０１との間のネットワーク帯域が低い場合は、配信サーバ３０２から受信クライアント３０３に対する画像フレームの送信中に、バックグラウンドで上記した画像フレーム取得処理を行う。
【００３２】
また、フレーム要求（Ｓ４１０）で指定されるパラメータは、フレームの解像度、送信クライアント３０１と配信サーバ３０２との間の帯域、配信サーバ３０２と受信クライアント３０３との間の帯域、及び受信クライアント３０３の数により動的に変更される。例えば、何れかの受信クライアント３０３の帯域が低ければ、ピクセルフォーマットの変更（例えば、ＹＵＶ４２２Ｐ形式からＹＵＶ４２０Ｐ形式に変更）が行われる。なお、ＹＵＶ４２０Ｐ形式とは、水平２ピクセルから色差信号を１ピクセル分だけ取る形式をいう。さらに、受信クライアント３０３の帯域が低ければ、フレームの解像度（画像の幅、高さ）、品質を落としたり、他のパラメータを調整することが考えられる。以後、次のフレーム２についても、フレーム１と同様な処理が行われる（Ｓ４１６、Ｓ４１７、Ｓ４１８、Ｓ４１９）。
【００３３】
次に、本発明の他の実施形態に係る配信システムの全体構成について説明する。図５は、本発明における他の実施形態に係る配信システムの全体構成を示す図である。
【００３４】
図５において、参加端末１  １０３に機器１  １０７が接続されると、参加端末１  １０３が送信クライアントとなり、機器１  １０７の画面の画像を、主催端末１０２、及び参加端末２  １０４にそれぞれ配信する。図示しない配信サーバは、主催端末１０２に備えられており、参加端末１  １０３が主催端末１０２に画像を送信すると、主催端末１０２がそれを参加端末２  １０４を含む他の参加端末に対して配信する。
【００３５】
次に、本発明における他の実施形態に係る配信システムの機器構成について説明する。図６は、本発明における他の実施形態に係る配信システムの機器構成を示す図である。
【００３６】
図２で説明した主催端末１０２が画像を配信している場合とは逆に、今度は参加端末１０８が送信クライアント部５０９を備え、画像を主催端末１０２に対して送信する。主催端末１０２は、配信サーバ部５０６と、受信クライアント部５０２と、画像表示装置５０１とから構成される。そして、図２で説明した配信サーバ部２０２、及び受信クライアント部２０９と同様に、画像の配信、受信、及び表示を行う。なお、配信サーバ部５０６は、主催端末１０２に対してだけではなく、他の参加端末１０８に対しても画像を配信する。
【００３７】
次に、本発明における他の実施形態に係る配信システムの動画配信のフロー（その１）について説明する。図７は、本発明における他の実施形態に係る配信システムの動画配信を示すフロー図（その１）である。
【００３８】
Ｓ６１０、Ｓ６１１、及びＳ６１２の処理は、図４で説明したＳ４１０、Ｓ４１１、及びＳ４１２の処理と同様であるので詳細な説明は省略する。本実施形態では、例えば、受信クライアント２  ６０４の帯域が低い場合、配信サーバ６０２は、画像フレームを復号化した後、低帯域用に画像フレームを再圧縮（符号化）して生成することができる（Ｓ６１３）。ただし、すべての受信クライアント毎に再圧縮を行うとなると、配信サーバ６０２の処理負荷が大きくなってしまう。
【００３９】
そこで、例えば、帯域品質を高・中・低の３段階に分け、各帯域品質に対応する受信クライアントが存在する場合、その帯域品質に対応する画像フレームを生成する。図７の場合、受信クライアント２  ６０４が低帯域であるので、画像フレーム１を低帯域用に再圧縮した画像フレーム１´を受信クライアント２  ６０４に送信している（Ｓ６１６）。
【００４０】
このように、配信サーバ６０２は、配信サーバ６０２と、受信クライアント１  ６０３、受信クライアント２  ６０４との間のネットワーク帯域の高低に応じて、受信した画像フレームを生成し直している。これにより、受信クライアント側のネットワーク帯域の高低に柔軟に対応することができる。
【００４１】
次に、本発明における他の実施形態に係る配信システムの動画配信のフロー（その２）について説明する。図８は、本発明における他の実施形態に係る配信システムの動画配信を示すフロー図（その２）である。
【００４２】
受信クライアントの帯域毎に、配信サーバ６０２がフレームの再圧縮を行うとなると、配信サーバ６０２の処理負荷が大きくなる可能性がある。図７で説明した方法であっても、複数の遠隔会議が開催された場合には、配信サーバ６０２の処理負荷が増大してしまう。そこで、配信サーバ６０２は、帯域毎に最適なパラメータを指定することにより、送信クライアント６０１から各帯域品質に対応する画像フレームを取得することとする。
【００４３】
これにより、フレームの圧縮生成処理は送信クライアント６０１側で行われることになり、配信サーバ６０２の処理負荷が低減する。ただし、すべての帯域毎に画像フレームを取得するとなると、送信クライアント６０１の処理負荷が大きくなってしまう。そこで、例えば、帯域品質を高・中・低の３段階に分け、各帯域品質に対応する受信クライアントが存在する場合、その帯域品質に対応する画像フレームを取得するようにする。
【００４４】
このように、配信サーバ６０２は、配信サーバ６０２と、受信クライアント１  ６０３、受信クライアント２  ６０４との間のネットワーク帯域の高低に応じた画像フレームを生成するよう送信クライアント６０１に要求している。これにより、受信クライアント側のネットワーク帯域の高低に柔軟に対応することができると共に、配信サーバの処理負荷を軽減することができる。
【００４５】
図８の場合、受信クライアント２  ６０４が低帯域であるので、送信クライアント６０１において、画像フレーム１を低帯域用のフレーム１´に圧縮する（Ｓ７１４）。そして、配信サーバ６０２は、画像フレーム１´を受信クライアント２  ６０４に送信している（Ｓ７１８）。
【００４６】
次に、本発明における他の実施形態に係る配信システムの動画配信のフロー（その３）について説明する。図９は、本発明における他の実施形態に係る配信システムの動画配信を示すフロー図（その３）である。
【００４７】
上記した図８の方法は、配信サーバ６０２から送信クライアント６０１に対して、各帯域毎に、フレーム要求を送信していた。この方法は、ネットワークの遅延を考慮すると、必ずしも望ましい方法ではない。そこで、本実施形態では、配信サーバ６０２から送信クライアント６０１に対する一度のフレーム要求（Ｓ８１０）で、フレーム１、フレーム１´といった複数種類のフレームを取得できるようにしたものである（Ｓ８１２）。そして、受信クライアント２  ６０４が低帯域であるので、配信サーバ６０２は、低帯域用のフレーム１´を受信クライアント２  ６０４に送信している（Ｓ８１６）。
【００４８】
このように、送信クライアント６０１は、配信サーバ６０２と、受信クライアント１  ６０３、受信クライアント２  ６０４との間のネットワーク帯域の高低に応じた複数の画像フレームを生成している。これにより、配信サーバの処理負荷を軽減することができると共に、送信クライアントからのフレーム取得遅延を減らすことができる。
【００４９】
次に、本発明におけるさらに他の実施形態に係る配信システムの全体構成について説明する。図１０は、本発明におけるさらに他の実施形態に係る配信システムの全体構成を示す図である。
【００５０】
図１０において、図２、及び図６で説明した主催端末１０２の中に内蔵されていた配信サーバ部２０２、５０６は、配信サーバ１１２という独立の構成としてネットワーク１０５に接続されている。これにより、配信サーバ１１２の性能を、顧客の要求に応じて変更したり、遠隔会議の一括管理、及び一括制御を行うこと等が可能となる。
【００５１】
次に、本発明におけるさらに他の実施形態に係る配信システムの機器構成について説明する。図１１は、本発明におけるさらに他の実施形態に係る配信システムの機器構成を示す図である。
【００５２】
図１１に示す機器構成は、図２で説明した機器構成と同様の構成であるが、図１０において説明したように、配信サーバ部１１０が、主催端末１０２から独立して構成されている。
【００５３】
なお、図３、図４、図７、図８、及び図９に示した本実施形態に係る配信システムの各動作は、コンピュータ上のプログラムに実現させることもできる。送信クライアント、配信サーバ、及び受信クライアントの図示しない制御部が、ＲＯＭ（Read Only Memory）等の図示しない記憶媒体に格納されたコンピュータにより読み取り可能なプログラムをロードする。そして、プログラムの各処理ステップが順次実行されることによって行われる。
【００５４】
本発明では、配信サーバが送信クライアントにフレーム取得要求を送信し、送信クライアントが当該要求に合わせてフレームを生成し、当該フレームを受信した配信サーバがその他の拠点の受信クライアントに画像の配信を行っている。これにより、ネットワーク帯域が異なる拠点で構成された配信システムにおいて、高解像度を有する画像を、低負荷で、各拠点に最適な画質で配信することが可能な配信システム、配信方法、及びプログラムが得られる。
【００５５】
以上、本発明の好適な実施形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００５６】
１００、２００、３００    配信システム
１０１    機器０
１０２、１０９    主催端末
１０３    参加端末１
１０４    参加端末２
１０５    ネットワーク
１０６、１０８、１１１    参加端末
１０７    機器１
１１０、２０２、５０６    配信サーバ部
１１２、３０２、６０２    配信サーバ
２０１、５０９、９０１    送信クライアント部
２０３、５１０、９０２    画像取得部
２０４、５１１、９０３    フレーム生成部
２０５、２０７、２１２、５０５、５０８、５１２、９０４、９０６、９１１    通信部
２０６、５０７、９０５    フレーム取得部
２０８、５０１、９０７    画像表示装置
２０９、５０２、９０８    受信クライアント部
２１０、５０３、９０９    画像表示部
２１１、５０４、９１０    フレーム復号部
３０１、６０１    送信クライアント
３０３    受信クライアント
６０３    受信クライアント１
６０４    受信クライアント２
【先行技術文献】
【特許文献】
【００５７】
【特許文献１】特開２００７−１９３６９０号公報
【図１】
2015023466.tif 000003
【図２】
2015023466.tif 000004
【図３】
2015023466.tif 000005
【図４】
2015023466.tif 000006
【図５】
2015023466.tif 000007
【図６】
2015023466.tif 000008
【図７】
2015023466.tif 000009
【図８】
2015023466.tif 000010
【図９】
2015023466.tif 000011
【図１０】
2015023466.tif 000012
【図１１】
2015023466.tif 000013
【図１２】
2015023466.tif 000014